(57)【特許請求の範囲】
【請求項１】
建築物の壁パネルの外側面に固定され、サイディング材と共に建築物の外壁面部を形成する目板部材であって、
この目板部材は、壁パネルに設けられた窓開口部に固定されるサッシと、このサッシに近接して配置される建築物構成部材との間に密接して配設されるように、上記サッシと同一の素材により平面長方形状に形成され、
その幅寸法は、上記互いに近接して配置された窓のサッシと上記建築物構成部材の間の間隔寸法と略同一に形成され、
その長さ寸法は、上記サッシの目板部材と当接する片部の長さ寸法と同一に形成されており、
この目板部材の両側面部であって上記サッシ及び建築物構成部材に当接する部分には、弾性を有する防水部材が、わずかにはみ出すように設けられていることを特徴する目板部材。
【請求項２】
上記建築物構成部材は、連窓のサッシであることを特徴とする請求項１記載の目板部材。
【請求項３】
上記建築物構成部材は、軒天であることを特徴とする請求項１記載の目板部材。
【発明の詳細な説明】
【０００１】
【発明の属する技術分野】
本発明は、目板部材に係り、特に、住宅の外壁に固定され、外壁仕上げ材として用いられる目板部材に関する。
【０００２】
【背景技術】
一般に、パネル構法による住宅等の建築物の外壁２４の仕上げ処理を行う場合には、図４に示すように、立設された壁パネル２５の外方に、防水テープ２６を介して、垂直方向に複数の胴縁２７を取付け、この胴縁２７を介して釘によりサイディング材２８を壁パネル２５に固定して建築物の耐火性を確保することとしていた（例えば、特開昭６３−１６５６４１号公報参照）。
【０００３】
【発明が解決しようとする課題】
このような場合、壁パネルにおいて窓開口部が大きく形成されると共に軒天に接近して設けられ、窓開口部上端から軒天までの間隔寸法が小さく形成される場合がある。
このような、窓開口部にサッシが固定され、その窓開口部に固定されたサッシと軒天との間の狭い部分の外壁仕上げ処理をサイディング材により行う場合には、所定寸法に形成されたサイディング材を切断して、上記窓開口部と軒天との間の部分に適合するように予め加工することが必要となる。
【０００４】
しかしながら、このようにサイディング材を、窓開口部に固定されたサッシと軒天との間の小さな間隔寸法に合わせて切断加工することは非常に煩雑であると共に、このような幅寸法の非常に小さな部位に上記胴縁を取付け、その胴縁を介してサイディング材を固定することは非常に困難であった。
また、近年、住宅にあっては、二つの窓を近接させて設ける、いわゆる連窓が設けられる場合が多い。このような連窓にあっては、二つの窓の間に形成される小さな間隔寸法の空隙部位にも外壁仕上げ処理を施す必要がある。
【０００５】
しかしながら、上記軒天の場合と同様に、連窓の間に形成される非常に小さな間隔寸法の部位に合わせてサイディング材を予め切断し、加工しておくことは非常に煩雑であると共に固定作業が非常に煩雑であった。
また、以上のような、窓のサッシと、建築物構成部材を形成する他のサッシ又は軒天等との間隔が非常に狭い部位にサイディング材を設けた場合には、サッシとの間のデザイン的な統一が図れず、見映えが良くない、という不具合があった。
【０００６】
そこで、請求項１に記載した発明の技術的課題は、建築物の外壁に、窓のサッシと、このサッシに近接して設けられた建築物構成部材との間の外壁仕上げ処理を適切かつ迅速に行うと共に、建築物の窓周辺の外観品質を向上させることにある。
特に、この請求項１記載の発明の技術的課題は、上記の技術的課題に加えて、互いに近接した配置された窓のサッシと上記建築物構成部材との間に形成される部位に、サッシの長さに合わせて完全に適合させることが可能な目板部材を準備して、より的確かつ迅速に外壁仕上げ処理を行うことにある。
【０００７】
また、請求項２記載の発明の技術的課題は、請求項１記載の発明の技術的課題に加えて、特に、連窓のサッシの間の外壁仕上げ処理を適切かつ迅速に行うことにある。
また、請求項３記載の発明の技術的課題は、請求項１記載の発明の技術的課題に加えて、特に、窓のサッシと軒天との間の外壁仕上げ処理を適切かつ迅速に行うことにある。
【０００８】
【課題を解決するための手段】
このような技術的課題解決のため、請求項１記載の発明にあっては、建築物の壁パネル１５，２３の外側面に固定され、サイディング材１６と共に建築物の外壁面部１７，３０を形成する目板部材１０であって、この目板部材１０は、壁パネル１５，２３に設けられた窓開口部に固定されるサッシ１８，２０と、このサッシ１８，２０に近接して配置される建築物構成部材との間に密接して配設されるように、上記サッシ１８，２０と同一の素材により平面長方形状に形成され、その幅寸法は、上記互いに近接して配置された窓のサッシ１８，２０と上記建築物構成部材の間の間隔寸法と略同一に形成され、その長さ寸法は、上記サッシ１８，２０の目板部材１０と当接する片部の長さ寸法と同一に形成されており、この目板部材１０の両側面部であって上記サッシ１８，２０及び建築物構成部材に当接する部分には、弾性を有する防水部材１３が、わずかにはみ出すように設けられていることを特徴する。
【０００９】
なお、ここで上記建築物構成部材とは、例えば、連窓において隣接して配設されるサッシや、窓開口部に固定されたサッシ上方に近接して設けられた軒天等が該当する。
従って、請求項１記載の発明にあっては、建築物の壁パネル１５，２３に設けられた窓開口部に固定されるサッシ１８，２０と、このサッシ１８，２０に近接して設けられた建築物構成部材との間に形成される部位に外壁仕上げ処理を施す場合には、当該サッシ１８，２０と建築物構成部材との間に目板部材１０を適宜手段により固定する。特に、この請求項１記載の発明にあっては、上記目板部材１０を窓のサッシ１８，２０と建築物構成部材との間に、サッシ１８，２０の、建築構成部材との当接片の長さ寸法と完全に一致させ、密接させて固定することができる。
【００１０】
この目板部材１０が窓のサッシ１８，２０と建築物構成部材との間に密接させて固定された場合には、目板部材１０は壁パネル１５，２３の一般面に固定されるサイディング材１６と共に建築物の外壁面部１７，３０を形成する。この場合、この目板部材１０には防水処理として弾性を有する防水部材１３がわずかにはみ出すように設けられているため、上記サッシ１８，２０と建築物構成部材との間の防水処理を同時に行うことができる。
【００１１】
従って、請求項１記載の発明にあっては、建築物の外壁に設けられた、サッシ１８，２０と、このサッシ１８，２０に近接して設けられた建築物構成部材との間の外壁仕上げ処理及び防水処理を、より確実かつ迅速に、しかも同時に行うことができる。また、請求項１記載の発明にあっては、目板部材１０はサッシ１８，２０の素材と同一の素材により形成されているため、目板部材１０とサッシ１８，２０のデザイン上の統一性を確保することができ、その結果、建築物の外壁面部１７，３０において、サッシ１８，２０周辺の外観品質を向上させることができる。
【００１２】
【００１３】
【００１４】
【００１５】
また、請求項２記載の発明にあっては、上記請求項１においての建築物構成部材は、連窓１４のサッシ３１であることを特徴とする。
従って、請求項２記載の発明にあっては、連窓１４のサッシ１８，３１の間に形成される空隙部位の外壁仕上げ処理を行う場合には、本発明に係る目板部材１０を、適宜手段により連窓１４のサッシ１８，３１の間に固定する。
【００１６】
この目板部材１０が固定された場合には、目板部材１０は壁パネル１５の一般面に固定されるサイディング材１６と共に建築物の外壁面部１７を形成する。この場合、この目板部材１０には防水処理が施されているため、壁面仕上げ処理のみならず、上記連窓１４のサッシ１８，３１の間の防水処理を同時に行うことができる。
【００１７】
従って、請求項２記載の発明にあっては、請求項１記載の効果に加えて、連窓１４のサッシ１８，３１の間の外壁仕上げ処理及び防水処理を迅速に行うことができる。
請求項３記載の発明にあっては、上記請求項１においての建築物構成部材は、軒天２１であることを特徴とする。
【００１８】
従って、請求項３記載の発明にあっては、サッシ２０と軒天２１との間の狭い部位の外壁仕上げ処理を行う場合には、本発明に係る目板部材１０を、適宜固定手段によりサッシ２０と軒天２１との間に固定する。この目板部材１０が固定された場合には、目板部材１０は壁パネル２３の一般面に固定されるサイディング材１６と共に建築物の外壁面部３０を形成する。
【００１９】
この場合、この目板部材１０には防水処理が施されているため、外壁仕上げ処理のみならず、上記窓のサッシ２０と軒天２１との間の防水処理を同時に行うことができる。
従って、請求項３記載の発明にあっては、請求項１記載の効果に加えて、窓のサッシ３１と軒天２１との間の外壁仕上げ処理及び防水処理を迅速に行うことができる。
【００２０】
【発明の実施の形態】
以下、添付図面に示す実施の形態に基づき、本発明に係る目板部材を用いて連窓のサッシの間の外壁仕上げ処理を行った場合と、窓のサッシと軒天との間の外壁仕上げ処理を行った場合とを例に詳細に説明する。
図１は本実施の形態に係る目板部材を示す斜視図、図２は本実施の形態に係る目板部材を連窓の二つのサッシの間に固定し、外壁仕上げ処理を行った場合を示す平面図、図３は本実施の形態に係る目板部材を窓のサッシと軒天との間に固定し、窓のサッシと軒天との間の外壁仕上げ処理を行った場合を示す斜視図である。
【００２１】
図１に示すように、本実施の形態に係る目板部材１０は、図２に示すような連窓１４の一対のサッシ１８，３１の間に形成される空隙部位に固定されるように構成されている。この目板部材１０は、平面長方形状であって、一枚の板材を側面略凸状に折曲して形成されている。
【００２２】
即ち、本体部１１と、この本体部１１の両端部に折曲形成されたフランジ部１２，１２とにより構成され、上記連窓１４のサッシ１８，３１の素材と同一の素材により形成され、サッシ１８，３１と同一の塗色が施されている。
また、この目板部材１０は、連窓１４の一対のサッシ１８，３１の間の間隙の間隔寸法と略同一の幅寸法を有し、また、連窓１４のサッシ１８，３１の長さ寸法と略同一の長さ寸法を有している。更に、この目板部材１０の厚さ寸法は、上記連窓１４のサッシ１８，３１の厚さ寸法と略同一に形成されている。
【００２３】
そして、上記目板部材１０の本体部１１にあっては、両側面部に硬質ゴム等からなる弾性防水材１３が帯状に貼設されている。
従って、本実施の形態に係る目板部材１０を用いて連窓１４のサッシ１８，３１の間に形成される空隙の外壁処理仕上げを行う場合には、上記目板部材１０を連窓１４のサッシ１８，３１の間にはめ込む。
【００２４】
この場合、上記フランジ部１２，１２を、夫々、この連窓１４のサッシ１８，３１が固定される、壁パネル１５に設けられた窓開口部２９の中央部の上端部及び下端部にスクリュー釘により固定して取り付ける。
そして、このようにして目板部材１０が固定された場合には、壁パネル１５の一般面に固定されるサイディング材１６と共に建築物の外壁面部１７を形成するため、連窓１４のサッシ１８，３１の間に形成される空隙部位の外壁面仕上げ処理は完了する。
【００２５】
この場合、この目板部材１０の両側面部には硬質ゴム等からなる弾性を有する防水部材１３が帯状に貼設されているため、目板部材１０が連窓１４のサッシ１８，３１の間に固定された場合には、目板部材１０の両側面部の防水部材１３は、夫々、サッシ１８，３１の側面部に圧接するため、目板部材１０とサッシ１８，３１との間の防水処理も完了する。
【００２６】
一方、図３に示すように、窓１９のサッシ２０と軒天２１との間に形成される空隙部位の外壁仕上げ処理を行う場合には、幅寸法がサッシ２０の上片部２２と軒天２１との間の間隔寸法と同一に形成されていると共に、長さ寸法がサッシ２０の上片部２２の長さ寸法と略同一に形成されている目板部材１０を、窓１９のサッシ２０と軒天２１との間に固定する。
【００２７】
この場合も上記同様に、目板部材１０の両端部に形成されたフランジ部１２，１２においてスクリュー釘により壁パネル２３に固定する。この場合、この目板部材１０は、上述のように、幅寸法がサッシ２０と軒天２１との間の間隔寸法と同一に形成されているため、両側部に貼設された帯状の弾性を有する防水部材１３は軒天２１及びサッシ２０の上片部２２に圧接し、長さ寸法がサッシ２０の上片部２２の長さ寸法と略同一に形成されているため、目板部材１０の両側端縁は、サッシ２０の上片部２２の両側端縁と一致する。
【００２８】
従って、このようにして目板部材１０が軒天２１とサッシ２０との間に固定された場合には、軒天２１とサッシ２０との間の防水処理が行われると共に外壁仕上げ処理が完了する。その結果、壁パネル２３の一般面上にサイディング材１６が固定された場合には、上記目板部材１０はサイディング材１６と共に、建築物の外壁面部３０を形成する。
【００２９】
本実施の形態にあっては、上記目板部材１０は、連窓１４のサッシ１８，３１又は、サッシ２０の上片部２２の長さ寸法と略同一に形成されていると共に、窓のサッシ１８，３１，又はサッシ２０の素材と同一の素材により形成され、更に、同一の塗色が施されているため、目板部材１０が窓を形成するサッシ１８，２０と同一の質感及び色感を有し、窓全体のデザイン上の一体感を醸し出すことができる。
【００３０】
その結果、連窓１４及び窓１９周辺部の見映えを良くし外観品質を向上させることができる。
なお、本実施の形態にあっては、連窓１４を構成する一対のサッシ１８，３１の間に形成される空隙部位の外壁仕上げ処理及び、軒天２１と窓のサッシ２０との間に形成される空隙部位の外壁仕上げ処理に適用される場合を例に説明したが、上記実施の形態に限定されず、他の部位であっても適用できる。
【００３１】
また、適用する部位により目板部材の具体的形状についても、上記実施の態様には限定されない。
【００３２】
【発明の効果】
請求項１に記載した発明にあっては、建築物の外壁に、窓のサッシと、このサッシに近接して設けられた建築物構成部材との間の外壁仕上げ処理及び防水処理を適切かつ迅速に行うことができると共に、建築物の窓周辺の外観品質を向上させることができる。
【００３３】
特に、この請求項１記載の発明にあっては、上記の効果に加えて、互いに近接した配置された窓のサッシと上記建築物構成部材との間に形成される空隙部位に、サッシの長さに合わせて完全に適合させることが可能な目板部材を準備して、より迅速かつ適切に外壁仕上げ処理及び防水処理を行うことができるという優れた効果を奏する。
【００３４】
また、請求項２記載の発明にあっては、請求項１記載の発明の効果に加えて、特に、連窓のサッシの間の外壁仕上げ処理及び防水処理を適切かつ迅速に行うことができる。
また、請求項３記載の発明にあっては、請求項１記載の発明の効果に加えて、特に、窓のサッシと軒天との間の外壁仕上げ処理及び防水処理を適切かつ迅速に行うことができる。
【図面の簡単な説明】
【図１】  本発明に係る目板部材の一実施の形態を示す斜視図である。
【図２】  本発明に係る目板部材の一実施の形態を、連窓の二つのサッシの間に固定し、外壁仕上げ処理を行った場合を示す平面図である。
【図３】  本発明に係る目板部材の一実施の形態を、窓のサッシと軒天との間に固定し、窓のサッシと軒天との間の外壁仕上げ処理を行った場合を示す斜視図である。
【図４】  サイディング材を用いた建築物の外壁を示す分解斜視図である。
【符号の説明】
１０…目板部材、１１…本体部、１２…フランジ部、１３…防水部材、１４…連窓、１５…壁パネル、１６…サイディング材、１７…外壁面部、１８…サッシ、１９…窓、２０…サッシ、２１…軒天、２２…上片部、２３…壁パネル、２４…外壁、２５…壁パネル、２６…防水テープ、２７…胴縁、２８…サイディング材、２９…窓開口部、３０…外壁面部、３１…サッシ。
【図１】
0003639011.tif 000002
【図２】
0003639011.tif 000003
【図３】
0003639011.tif 000004
【図４】
0003639011.tif 000005